(57)【要約】【課題】本発明は、作業者に多大な時間と煩雑な手間を強いることなく、短時間かつ容易に編集リストを作成できるようにする。【解決手段】本発明は、複数の映像素材入力系２から入力される複数のカメラ映像信号ＫＳ１１〜ＫＳ１３、再生映像信号ＶＳ１４〜ＶＳ１７を入力選択回路２１により任意のタイミングで切り換え、当該複数のカメラ映像信号ＫＳ１１〜ＫＳ１３、再生映像信号ＶＳ１４〜ＶＳ１７を切り換える切り換え操作に基づいて編集リストＬ１として作成することにより、複数のカメラ映像信号ＫＳ１１〜ＫＳ１３、再生映像信号ＶＳ１４〜ＶＳ１７を切り換える切り換え操作を実行しながら、当該切り換え操作に応じた編集リストＬ１を作成することができるので、かくして作業者に多大な時間と煩雑な手間を強いることなく、短時間かつ容易に編集リストＬ１を作成することができる。【選択図】        図１
2004274627.tif 000002
【特許請求の範囲】
【請求項１】
複数のソースから入力される複数の映像素材を任意のタイミングで切換出力するスイッチャ機能を有する映像素材切換手段と、
上記スイッチャ機能により上記複数の映像素材を切り換える切換操作に基づいて編集リストを作成する編集リスト作成手段と
を具えることを特徴とする映像素材編集装置。
【請求項２】
上記編集リスト作成手段は、
上記スイッチャ機能を用いて上記複数の映像素材を切り換える切換操作と同時に編集リストを作成する
ことを特徴とする請求項１に記載の映像素材編集装置。
【請求項３】
上記編集リスト作成手段は、上記切換操作に加えて、上記映像素材を切り換える際に指定した特殊効果の種類及び当該種類に関する各種設定情報に基づいて上記編集リストを作成する
ことを特徴とする請求項１に記載の映像素材編集装置。
【請求項４】
上記映像素材編集手段は、
上記複数の映像素材におけるハイライトシーンだけを繋ぎ合わせる編集処理を上記切換操作として実行したとき、
上記編集リスト作成手段は、上記編集処理に応じたダイジェスト版編集リストを作成する
ことを特徴とする請求項１に記載の映像素材編集装置。
【請求項５】
スイッチャ機能を有する映像素材編集手段を介して複数のソースから入力される複数の映像素材を任意のタイミングで切り換える映像素材切換ステップと、
上記映像素材切換ステップで上記複数の映像素材を切り換える切換操作に基づいて編集リストを作成する編集リスト作成ステップと
を具えることを特徴とする映像素材編集方法。
【請求項６】
上記編集リスト作成ステップでは、
上記スイッチャ機能を用いて上記複数の映像素材を切り換える切換操作と同時に編集リストを作成する
ことを特徴とする請求項５に記載の映像素材編集方法。
【請求項７】
上記編集リスト作成ステップでは、上記切換操作に加えて、上記映像素材を切り換える際に指定した特殊効果の種類及び当該種類に関する各種設定情報に基づいて上記編集リストを作成する
ことを特徴とする請求項５に記載の映像素材編集方法。
【請求項８】
上記映像素材編集ステップでは、
上記複数の映像素材におけるハイライトシーンだけを繋ぎ合わせる編集処理を上記切換操作として実行したとき、
上記編集リスト作成ステップでは、上記編集処理に応じたダイジェスト版編集リストを作成する
ことを特徴とする請求項５に記載の映像素材編集方法。
【発明の詳細な説明】
【０００１】
【発明の属する技術分野】
本発明は映像素材編集装置及び映像素材編集方法に関し、例えば複数種類の映像素材に基づいて編集内容を規定したいわゆる編集リストを作成するビデオ編集装置に適用して好適なものである。
【０００２】
【従来の技術】
従来、ビデオ編集装置においては、予め収録済みのビデオテープを装填した複数台の再生用ＶＴＲ（Ｖｉｄｅｏ  Ｔａｐｅ  Ｒｅｃｏｒｄｅｒ）を制御し、当該複数台の再生用ＶＴＲを再生して得た複数種類の再生映像をビデオスイッチャにより切り換えたり、もしくは再生映像を重ね合わせたりすることにより生成した編集映像を記録用ＶＴＲによって記録するようになされている（例えば、特許文献１参照）。
【０００３】
またビデオスイッチャは、編集用途だけではなく、コンサートやスポーツの試合を生中継放送したり、もしくは収録する場合に、複数の中継カメラからの入力映像を任意に切り換えたり、若しくは重ね合わせる用途にも使用され、その出力映像をそのまま生中継放送したり、ビデオテープに収録するようにもなされている。
【０００４】
このときスイッチャを操作している作業者もしくは編集操作の作業者や関係者は、後に行う編集作業を容易にすべく、中継カメラを切り換えてどの場面を実際に使用したかを示すメモ書きを作成しておくことが一般に行われていた。
【０００５】
【特許文献１】
特開２０００−１４９４１０公報（第２頁、第６頁〜第７頁の図５〜図９）
【０００６】
【発明が解決しようとする課題】
ところでかかる構成のビデオ編集装置においては、作業者が編集作業を行う際、例えば生中継放送が終了した直後に、作業者が複数の中継カメラによって収録された収録済みビデオテープを集め、複数台の再生用ＶＴＲによって再生した収録済みの再生映像を実際にモニタしながら、メモ書きをみて各収録済みビデオテープのハイライトシーンとハイライトシーンとを繋ぎ合わせるための編集点を頭出しする等の必要があって、当該作業者に対して多大な時間と煩雑な手間を強いていた。
【０００７】
本発明は以上の点を考慮してなされたもので、作業者に多大な時間と煩雑な手間を強いることなく、短時間かつ容易に編集リストを作成し得る映像素材編集装置及び編集素材編集方法を提案しようとするものである。
【０００８】
【課題を解決するための手段】
かかる課題を解決するため本発明においては、スイッチャ機能を有する映像素材編集手段を介して複数のソースから入力される複数の映像素材を任意のタイミングで切り換え、当該複数の映像素材を切り換える切換操作に基づいて編集リストを作成することにより、複数の映像素材に対する切り換え操作に応じた編集リストを自動的に作成することができるので、作業者に多大な時間と煩雑な手間を強いることなく、短時間かつ容易に編集リストを作成することができる。
【０００９】
また本発明においては、スイッチャ機能を用いて複数の映像素材を切り換える切換操作と同時に編集リストを作成することにより、映像素材の切換操作とほぼ同時に編集リストを提供することができるので、その直後から当該編集リストに応じた編集処理を直ちに実行することができる。
【００１０】
さらに本発明においては、切換操作に加えて、映像素材を切り換える際に指定した特殊効果の種類及び当該種類に関する各種設定情報に基づいて編集リストを作成することにより、映像素材に特殊効果を施しながら当該映像素材を切り換えて編集映像データを生成することについても当該編集リストに基づいて短時間かつ容易に実行することができる。
【００１１】
さらに本発明においては、複数の映像素材におけるハイライトシーンだけを繋ぎ合わせる編集処理を上記切換操作として実行したとき、編集処理に応じたダイジェスト版編集リストを作成することにより、作業者に多大な時間と煩雑な手間を強いることなく、短時間かつ容易にダイジェスト版編集リストを作成することができる。
【００１２】
【発明の実施の形態】
以下、図面について、本発明の一実施の形態を詳述する。
【００１３】
（１）ビデオ編集装置の構成
図１において、１は全体としてビデオ編集装置を示し、大きく分けて映像素材入力系２、当該映像素材入力系２から入力した映像素材に対してスイッチャ機能及び編集機能を有する本発明における映像素材編集装置としてのプラグインエディタ３、映像素材に対してスイッチャ操作を行うためのスイッチャ操作卓４及び映像素材に対して編集操作を行うための編集操作卓５によって構成されている。
【００１４】
映像素材入力系２は、第１中継カメラ１１、第２中継カメラ１２、第３中継カメラ１３、……及び第１ＶＴＲ１４、第２ＶＴＲ１５、第３ＶＴＲ１６、第４ＶＴＲ１７、……を複数台分有している。
【００１５】
この映像素材入力系２は、第１中継カメラ１１〜第３中継カメラ１３からのカメラ映像信号ＫＳ１１〜ＫＳ１３を第１ＶＴＲ１４〜第３ＶＴＲ１６へ供給すると共にプラグインエディタ３の入力選択回路２１へ出力し、同様に第１ＶＴＲ１４〜第３ＶＴＲ１６からの再生映像信号ＶＳ１４〜ＶＳ１６をプラグインエディタ３の入力選択回路２１へ出力するようになされている。
【００１６】
実際上、映像素材入力系２は、第１中継カメラ１１〜第３中継カメラ１３からのカメラ映像信号ＫＳ１１〜ＫＳ１３をプラグインエディタ３の入力選択回路２１へ出力しながら、当該カメラ映像信号ＫＳ１１〜ＫＳ１３を第１ＶＴＲ１４〜第３ＶＴＲ１６によって記録し、当該第１ＶＴＲ１４〜第３ＶＴＲ１６によって再生した再生映像信号ＶＳ１４〜ＶＳ１６をプラグインエディタ３の入力選択回路２１へも出力し得るようになされている。
【００１７】
これによりプラグインエディタ３は、生中継を行う際には第１中継カメラ１１〜第３中継カメラ１３からのカメラ映像信号ＫＳ１１〜ＫＳ１３のいずれかを入力選択回路２１で選択して出力する一方、カメラ映像信号ＫＳ１１〜ＫＳ１３を第１ＶＴＲ１４〜第３ＶＴＲ１６でビデオテープに記録し、当該第１ＶＴＲ１４〜第３ＶＴＲ１６で再生したカメラ映像信号ＫＳ１１〜ＫＳ１３に相当する再生映像信号ＶＳ１４〜ＶＳ１６を後に編集映像生成用の素材として用い得るようになされている。
【００１８】
なお、映像素材入力系２が有する第４ＶＴＲ１７は、例えば過去の映像素材等が予め収録された収録済テープの再生用に用いられ、当該収録済テープを再生した結果得られる再生映像信号ＶＳ１７をプラグインエディタ３の入力選択回路２１に出力し得るようになされている。
【００１９】
従ってプラグインエディタ３は、映像素材の編集処理を行う際、第１ＶＴＲ１４〜第３ＶＴＲ１６からの再生映像信号ＶＳ１４〜ＶＳ１６のみならず、第４ＶＴＲ１７からの再生映像信号ＶＳ１７についても編集処理対象として用い得るようになされている。
【００２０】
スイッチャ操作卓４は、第１中継カメラ１１〜第３中継カメラ１３からのカメラ映像信号ＫＳ１１〜ＫＳ１３、第１ＶＴＲ１４〜第４ＶＴＲ１７からの再生映像信号ＶＳ１４〜ＶＳ１７又は再生映像信号ＶＳ１４〜ＶＳ１７をモニタ（図示せず）にそれぞれ表示し、これを作業者に目視確認させながら当該作業者が希望するカメラ映像信号ＫＳ１１〜ＫＳ１３又は再生映像信号ＶＳ１４〜ＶＳ１７のいずれかに切り換えさせたり、重ね合わせたり、もしくは特殊効果を施す等のスイッチャ操作を作業者に実行させ得るようになされている。
【００２１】
このようなスイッチャ操作が作業者によって行われると、スイッチャ操作卓４は、当該作業者のスイッチャ操作に応じた制御信号Ｓ４をプラグインエディタ３の制御部２４へ出力するようになされている。
【００２２】
編集操作卓５は、第１中継カメラ１１〜第３中継カメラ１３からのカメラ映像信号ＫＳ１１〜ＫＳ１３、第１ＶＴＲ１４〜第４ＶＴＲ１７からの再生映像信号ＶＳ１４〜ＶＳ１７をモニタ（図示せず）にそれぞれ表示し、これを作業者に目視確認させながら当該作業者が希望するハイライトシーンを含むカメラ映像信号ＫＳ１１〜ＫＳ１３又は再生映像信号ＶＳ１４〜ＶＳ１７のいずれかに切り換えさせたり、重ね合わせたり、もしくは特殊効果を施す等の編集操作を作業者に実行させ得るようになされている。
【００２３】
例えば編集操作卓５は、具体的には第１ＶＴＲ１４〜第４ＶＴＲ１７によって再生した再生映像信号ＶＳ１４〜ＶＳ１７の中から作業者の希望するハイライトシーンを有する再生映像信号ＶＳ１４〜ＶＳ１７の部分だけを集めて名場面集として編集するダイジェスト版の編集操作を作業者に実行させ得るようにもなされている。
【００２４】
このような編集操作が作業者によって行われると、編集操作卓５は当該作業者の編集操作に応じた制御信号Ｓ５をプラグインエディタ３の制御部２４へ出力するようになされている。
【００２５】
プラグインエディタ３は、実際上、スイッチャ機能に加えて編集処理機能を併せ持った構成のスイッチャでもあって、全体を統括制御する制御部２４がスイッチャ操作卓４からの制御信号Ｓ４及び編集操作卓５からの制御信号Ｓ５を共用し得、当該制御信号Ｓ４及び制御信号Ｓ５に基づいてスイッチャ制御回路２３及びＶＴＲ制御回路２５を制御すると共に、後述する編集リストや、スイッチャ操作卓４で設定されたスイッチャ設定情報及び各種セットアップ情報等を格納したデータベース２６を管理するようになされている。
【００２６】
ここで制御部２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を有する構成でなり、ＲＯＭから読み出してＲＡＭで展開した基本プログラムや各種アプリケーションプログラムに従って後述する編集リスト作成処理、ダイジェスト版編集リスト作成処理等を実行し得るようになされている。
【００２７】
なお制御部２４は、ＶＴＲ制御回路２５を介して第１ＶＴＲ１４〜第４ＶＴＲ１７へシステムクロックを供給しており、これにより第１ＶＴＲ１４〜第４ＶＴＲ１７は共通のシステムクロックに基づくタイムコードで動作するようになされている。
【００２８】
因みに制御部２４は、第１ＶＴＲ１４〜第４ＶＴＲ１７に対し、ＶＴＲ制御回路２５を介して別途供給される（図示せず）システム共通のタイムコードに基づいて記録動作させるようにしても良く、また記録時のタイムコードは必ずしも共通でなくても良い。
【００２９】
スイッチャ制御回路２３は、入力選択回路２１及び特殊効果発生回路２２を制御し、ＶＴＲ制御回路２５は第１ＶＴＲ１４〜第４ＶＴＲ１７の再生を制御するようになされている。
【００３０】
実際上、プラグインエディタ３は映像素材入力系２の第１中継カメラ１１〜第３中継カメラ１３から供給されるカメラ映像信号ＫＳ１１〜ＫＳ１３、第１ＶＴＲ１４〜第４ＶＴＲ１７から供給される再生映像信号ＶＳ１４〜ＶＳ１７を入力選択回路２１に取り込む。
【００３１】
入力選択回路２１は、スイッチャ操作卓４のスイッチャ操作によりスイッチャ制御回路２３から順次与えられる映像切換信号に応じて、作業者がスイッチャ操作卓４で選択決定したカメラ映像信号ＫＳ１１〜ＫＳ１３又は再生映像信号ＶＳ１４〜ＶＳ１７のいずれかを選択し、その選択結果を特殊効果発生回路２２へ順次送出する。
【００３２】
特殊効果発生回路２２は、スイッチャ操作卓４のスイッチャ操作によりスイッチャ制御回路２３を介して与えられた特殊効果指定信号に応じて、例えば画像を混合させながら前の画像から次の画像に切り換えるための「ミックス（Ｍｉｘ）」、前の画像を拭い去るようにして次の画像へ切り換えるための「ワイプ（Ｗｉｐｅ）」、元画像の一部を切り抜いて別の画像を嵌め込むための「キー（Ｋｅｙ）」等の各種特殊効果を入力選択回路２１から供給されるカメラ映像信号ＫＳ１１〜ＫＳ１３又は再生映像信号ＶＳ１４〜ＶＳ１７のいずれかに対して施すようになされており、その結果得られる特殊効果映像信号Ｓ２２を出力するようになされている。
【００３３】
その後、特殊効果発生回路２２は生中継放送時には当該特殊効果映像信号Ｓ２２を直接出力して放送用に供したり、外部の記録用ＶＴＲ６でビデオテープに記録するようになされている。
【００３４】
また特殊効果発生回路２２は、編集処理時にも当該特殊効果映像信号ＫＳ２２を記録用ＶＴＲ６に出力し、最終的に編集した結果の編集映像データを当該記録用ＶＴＲ６でビデオテープに記録し得るようになされている。
【００３５】
但し特殊効果発生回路２３は、必ず特殊効果を施すわけではなく、スイッチャ制御回路２３から特殊効果指定信号が与えられたときに限り、特殊効果を施すようになされており、単に前の映像から次の映像に切り換えるための「カット（Ｃｕｔ）」すなわちカットつなぎだけの場合も当然にある。
【００３６】
ところでスイッチャ制御回路２３は、入力選択回路２１で選択した第１中継カメラ１１〜第３中継カメラ１３のいずれかの名称、カメラ映像信号ＫＳ１１〜ＫＳ１３のいずれかを選択したときの開始時刻、終了時刻及びカメラ映像信号ＫＳ１１〜ＫＳ１３に対して実際に施した特殊効果の種類（ミックス（Ｍｉｘ）、ワイプ（Ｗｉｐｅ）、キー（Ｋｅｙ）、……等のいずれか）及びその種類に関する各種設定情報を示すステータス信号を制御信号Ｓ４として制御部２４へ送出するようにもなされている。
【００３７】
従って制御部２４は、スイッチャ操作卓４を操作する作業者のスイッチャ操作に応じてスイッチャ制御回路２３が入力選択回路２１及び特殊効果発生回路２２を制御して実際の生中継放送を行っている最中に、当該スイッチャ制御回路２３からの各種ステータス信号を示す制御信号Ｓ４に基づいて当該スイッチャ操作の内容を示す編集リストを同時に作成し得、当該作成した編集リストをデータベース２６に格納し得るようになされている。
【００３８】
これにより制御部２４は、例えば第１中継カメラ１１〜第３中継カメラ１３により撮影されたカメラ映像信号ＫＳ１１〜ＫＳ１３を順次切り換えながら生中継放送を行った後、直ちに編集操作を行って編集映像を生成する場合であっても、データベース２６に格納した当該編集リストに従って再度スイッチャ制御回路２３及びＶＴＲ制御回路２５を制御し、第１ＶＴＲ１４〜第４ＶＴＲ１７の再生映像信号ＶＳ１４〜ＶＳ１７に基づいて生中継放送時と同様の編集映像を直ちに生成し得るようになされている。
【００３９】
（２）プラグインエディタによる編集リスト作成処理手順
次に、ビデオ編集装置１におけるプラグインエディタ３の制御部２４によって実際の生中継放送を行っている最中に、スイッチャ操作卓４における作業者のスイッチャ操作に応じた編集リストを作成する編集リスト作成処理手順について図２のフローチャートを用いて説明する。
【００４０】
ステップＳＰ１においてスイッチャ操作卓４は、作業者によって第１中継カメラ１１を選択決定するためのスイッチャ操作が行われたことを認識すると、当該第１中継カメラ１１によるカメラ映像信号ＫＳ１１を放送出力用に切り換えるための制御信号Ｓ４をプラグインエディタ３へ出力し、次のステップＳＰ２へ移る。
【００４１】
このときステップＳＰ１１においてプラグインエディタ３の制御部２４は、スイッチャ操作卓４からの制御信号Ｓ４を受け取ると、当該制御信号Ｓ４を受け取ったタイミングで第１中継カメラ１１がスイッチャ操作によって選択決定されたと認識し、このとき第１ＶＴＲ１４で第１中継カメラ１１のカメラ映像信号ＫＳ１１を記録したときのタイムコードを開始時刻ｔ１として一時的に記憶し、次のステップＳＰ１２へ移る。
【００４２】
因みにプラグインエディタ３の制御部２４は、このとき同時に制御信号Ｓ４に従って第１中継カメラ１１からのカメラ映像信号ＫＳ１１を入力選択回路２１で選択させた後に生中継放送用に出力している。
【００４３】
ステップＳＰ２においてスイッチャ操作卓４は、作業者によって第１中継カメラ１１によるカメラ映像信号ＫＳ１１を生中継放送用に出力している最中に、第２中継カメラ１２を次に選択決定するためのスイッチャ操作が行われたことを認識すると、当該第２中継カメラ１２によるカメラ映像信号ＫＳ１２を放送出力用に切り換えるための制御信号Ｓ４をプラグインエディタ３へ出力し、次のステップＳＰ３へ移る。
【００４４】
このときステップＳＰ１２においてプラグインエディタ３の制御部２４は、スイッチャ操作卓４からの制御信号Ｓ４を受け取ると、当該制御信号Ｓ４を受け取ったタイミングで第１中継カメラ１１から第２中継カメラ１２へ切り換えられたことを認識し、このとき切り換えたタイミングを示すタイムコードを第１ＶＴＲ１４の終了時刻ｔ２として一時的に記憶すると同時に、第２中継カメラ１２に対応する第２ＶＴＲ１５の開始時刻ｔ３としても一時的に記憶し、次のステップＳＰ１３へ移る。
【００４５】
この場合もプラグインエディタ３の制御部２４は、このとき同時に制御信号Ｓ４に従って第１中継カメラ１１のカメラ映像信号ＫＳ１１から第２中継カメラ１２のカメラ映像信号ＫＳ１２を入力選択回路２１で選択して切り換えさせた後に生中継放送用に出力している。
【００４６】
ステップＳＰ３においてスイッチャ操作卓４は、作業者によって第２中継カメラ１１によるカメラ映像信号ＫＳ１２を生中継放送用に出力している最中に、第２中継カメラ１２から第３中継カメラ１３へ特殊効果を与えながら切り換えるためのスイッチャ操作が行われたことを認識すると、第２中継カメラ１２から第３中継カメラ１３へ特殊効果を与えながら切り換えるための制御信号Ｓ４をプラグインエディタ３へ出力し、次のステップＳＰ４へ移る。
【００４７】
このときステップＳＰ１３においてプラグインエディタ３の制御部２４は、スイッチャ操作卓４からの制御信号Ｓ４を受け取ると、当該制御信号Ｓ４を受け取ったタイミングで第２中継カメラ１２から第３中継カメラ１３へ特殊効果を与えながら切り換えられることを認識し、このとき切り換えるタイミングを示すタイムコードを第２ＶＴＲ１５の終了時刻ｔ４として一時的に記憶すると同時に、第３中継カメラ１３に対応する第３ＶＴＲ１６の開始時刻ｔ５としても一時的に記憶し、さらに特殊効果に関する種類及びその種類に関する各種設定情報を一時的に記憶し、次のステップＳＰ１４へ移る。
【００４８】
ここで特殊効果の種類及びその種類に関する各種設定情報とは、例えば、画像を混合させながら前の画像から次の画像に切り換えるためのミックス（Ｍｉｘ）であれば、「Ｎｏｒｍａｌ  Ｍｉｘ」、「Ｎｏｎ  Ａｄｉｔｉｖｅ  Ｍｉｘ」、「Ｓｕｐｅｒ  Ｍｉｘ」、「Ｐｒｅｓｅｔ  Ｃｏｌｏｒ  Ｍｉｘ」等の種類が存在し、その各種設定情報である調整項目としては「効果の長さ」、「混合させる要素」、「変化の度合い」、「途中にカラー画面が入る場合はそのカラー設定」等があり、それぞれに複数のパターンがある。
【００４９】
また、前の画像を拭い去るようにして次の画像へ切り換えるためのワイプ（Ｗｉｐｅ）であれば、「Ｓｔａｎｄａｒｄ  Ｗｉｐｅ」、「Ｅｎｈａｎｃｅｄ  Ｗｉｐｅ」、「Ｒｏｔａｒｙ  Ｗｉｐｅ」、「Ｍｏｚａｉｃ  Ｗｉｐｅ」、「Ｒｕｎｄｏｍ  Ｗｉｐｅ」、「Ｄｉａｍｏｎｄ  Ｄｕｓｔ  Ｗｉｐｅ」等の種類が存在し、その各種設定情報である調整項目としては「効果の長さ」、「効果の混合」、「方向」、「分割」、「エッジソフト」、「ボーダー幅」、「ボーダー色」、「ポジショナー」、「回転比」、「縦横比」、「マルチすだれ」、「モジュレーション」、「スプリング」、「スパイラル」等があり、それぞれに複数のパターンがある。
【００５０】
さらに、画像の移動、拡大、回転、縮小、ぼかし、モザイク等の各種変形を行いながら前の画像を拭い去るようにして次の画像へ切り換えるためのディジタルマルチエフェクトワイプであれば、「Ｓｌｉｄｅ」、「Ｓｐｌｉｔ」、「Ｓｑｕｅｅｚｅ」、「Ｄｏｏｒ」、「Ｆｌｉｐ」、「Ｔｕｍｂｌｅ」、「Ｐａｇｅ」、「Ｔｕｒｎ」、「Ｐａｇｅ  Ｒｏｌｌ」等の種類が存在し、その各種設定情報である調整項目としては「効果の長さ」、「効果の混合」、「方向」、「分割」、「エッジソフト」、「ボーダー幅」、「ボーダー色」、「ポジショナー」、「回転比」、「縦横比」、「マルチすだれ」、「モジュレーション」、「スプリング」、「スパイラル」等があり、それぞれに複数のパターンがある。
【００５１】
さらに、元画像の一部を切り抜いて別の画像を出すためのキーであれば、「Ｌｉｎｅａｒ  Ｋｅｙ」、「Ｌｕｍｉｎａｎｃｅ  Ｋｅｙ」、「Ｃｈｒｏｍａ  Ｋｅｙ」、「Ｃｏｌｏｒ  Ｖｅｃｔｏｒ  Ｋｅｙ」、「Ｐａｔｔｅｒｎ  Ｋｅｙ」等の種類が存在し、それぞれに各種設定情報として複数のパターンがある。
【００５２】
この場合もプラグインエディタ３の制御部２４は、制御信号Ｓ４に従って第２中継カメラ１２のカメラ映像信号ＫＳ１２から第３中継カメラ１３のカメラ映像信号ＫＳ１３を入力選択回路２１で選択して切り換えさせた後に、カメラ映像信号ＫＳ１３に対して特殊効果発生回路２２で特殊効果を与え、その結果得られる特殊効果映像信号Ｓ２２を生中継放送用に出力している。
【００５３】
ステップＳＰ４においてスイッチャ操作卓４は、作業者によって次のスイッチャ操作が行われないので当該スイッチャ操作卓４における処理を終了する。
【００５４】
ステップＳＰ１４においてプラグインエディタ３の制御部２４は、スイッチャ操作卓４におけるスイッチャ操作が終了したので、ステップＳＰ１１〜ステップＳＰ１３にかけて一時的に記憶した第１ＶＴＲ１４の開始時刻ｔ１、終了時刻ｔ２、第２ＶＴＲ１５の開始時刻ｔ３、終了時刻ｔ４、第３ＶＴＲ１６の開始時刻ｔ５及び特殊効果の種類及びその種類に関する各種設定情報からなる操作履歴に基づいて編集リストＬ１を作成した後、これをデータベース２６に格納し、次のステップＳＰ１５に移って処理を終了する。
【００５５】
このようにプラグインエディタ３の制御部２４は、スイッチャ操作卓４のスイッチャ操作に応じた制御信号Ｓ４に従ってスイッチャ制御回路２１を制御することにより、入力選択回路２１及び特殊効果発生回路２２によるカメラ映像信号ＫＳ１１〜ＫＳ１３の切り換え及び特殊効果を施した後に生中継放送用に出力すると同時に、スイッチング操作に関する時刻情報（開始時刻及び終了時刻）及び特殊効果の種類及びその種類に関する各種設定情報を操作履歴として一時的に記憶しておき、これらに基づいて編集リストを作成し得るようになされている。
【００５６】
図３に示すように、このようにして作成された編集リストＬ１には、記録用ＶＴＲ６で編集処理後の編集映像をビデオテープに記録したときの新たな時刻Ｔ１、Ｔ２、Ｔ３を表す「時間」、スイッチャ操作対象となる第１中継カメラ１１〜第３中継カメラ１３を表す「リール」、特殊効果の種類（「Ｃｕｔ」、「Ｍｉｘ」等）を表す「効果」、第１中継カメラ１１〜第３中継カメラ１３のカメラ映像信号ＫＳ１１〜ＫＳ１３に相当する再生映像信号ＶＳ１４〜ＶＳ１６を第１ＶＴＲ１４〜第３ＶＴＲ１６で再生して使用するときの時刻を表す「開始時刻（ｔ１、ｔ２、ｔ３）」及び「終了時刻（ｔ２、ｔ４）」が示されている。
【００５７】
なお、この編集リストＬ１では、「効果」に関する内容として特殊効果の種類を示す「Ｍｉｘ」のみならず、その種類の各種設定情報である「特殊効果を与える時間（ｎ）秒」までもが記憶されている。
【００５８】
従ってプラグインエディタ３の制御部２４は、生中継放送終了後に、データベース２６に格納した編集リストＬ１を読み出し、当該編集リストＬ１に従ってスイッチャ制御回路２３及びＶＴＲ制御回路２５を制御することにより、当該編集リストＬ１に従って生中継放送時と同じ内容の生中継映像を編集映像として容易に生成し得るようになされている。
【００５９】
実際上、図４に示すようにプラグインエディタ３の制御部２４は、開始時刻ｔ１〜終了時刻ｔ２までは第１中継カメラ１１のカメラ映像信号ＫＳ１１に相当する第１ＶＴＲ１４からの再生映像信号ＶＳ１４を入力選択回路２１で選択して記録用ＶＴＲ６へ出力する。
【００６０】
続いてプラグインエディタ３の制御部２４は、開始時刻ｔ３（＝終了時刻ｔ２）〜終了時刻ｔ４までは第２中継カメラ１２のカメラ映像信号ＫＳ１２に相当する第２ＶＴＲ１５からの再生映像信号ＶＳ１５を入力選択回路２１で選択して記録用ＶＴＲ６へ出力する。
【００６１】
そしてプラグインエディタ３の制御部２４は、開始時刻ｔ５からｎ秒間は第３中継カメラ１６のカメラ映像信号ＫＳ１３に相当する第３ＶＴＲ１６からの再生映像信号ＶＳ１６を入力選択回路２１で選択し、当該再生映像信号ＶＳ１６に対して所定の特殊効果「Ｍｉｘ」をｎ秒間だけ与えて記録用ＶＴＲ６へ出力する。
【００６２】
その後プラグインエディタ３の制御部２４は、第３中継カメラ１６のカメラ映像信号ＫＳ１３に相当する第３ＶＴＲ１６からの再生映像信号ＶＳ１６を引き続き入力選択回路２１で選択して記録用ＶＴＲ６へ出力する。
【００６３】
記録用ＶＴＲ６は、プラグインエディタ３から編集リストＬ１に従って順次送られてくる再生映像信号ＶＳ１４、再生映像信号ＶＳ１５及び再生映像信号ＶＳ１６をビデオテープに記録することにより、図５に示すように、当該編集リストＬ１の内容に応じた編集映像を記録した編集テープ３１を生成し得るようになされている。
【００６４】
この結果、編集テープ３１には、第１中継カメラ１１のカメラ映像信号ＫＳ１１に相当する再生映像信号ＶＳ１４が記録実時間Ｔ１〜Ｔ２まで記録され、第２中継カメラ１２のカメラ映像信号ＫＳ１２に相当する再生映像信号ＶＳ１５が当該記録実時間Ｔ２〜記録実時間Ｔ３まで記録され、その後にｎ秒間の特殊効果が施こされた第３中継カメラ１３のカメラ映像信号ＫＳ１３に相当する再生映像信号ＶＳ１５が記録されることになる。
【００６５】
（３）プラグインエディタによるダイジェスト版編集リスト作成処理手順
次に、ビデオ編集装置１におけるプラグインエディタ３の制御部２４によって実際の生中継放送を行っている最中に、編集操作卓５における作業者の編集操作に応じたハイライトシーンだけのダイジェスト版編集リストを作成するダイジェスト版編集リスト作成処理手順について図６のフローチャートを用いて説明する。
【００６６】
ここでスイッチャ操作卓４におけるスイッチャ操作（ステップＳＰ１〜ステップＳＰ４）に関しては、編集リスト作成処理手順（図２）と同様であり、ダイジェスト版編集リスト作成処理手順については編集操作卓５及びプラグインエディタ３における処理が異なるものである。
【００６７】
ステップＳＰ１においてスイッチャ操作卓４は、作業者によって第１中継カメラ１１を選択決定するためのスイッチャ操作が行われたことを認識すると、当該第１中継カメラ１１によるカメラ映像信号ＫＳ１１を放送出力用に切り換えるための制御信号Ｓ４をプラグインエディタ３へ出力し、次のステップＳＰ２へ移る。
【００６８】
このときステップＳＰ２１において編集操作卓５は、スイッチャ操作卓４で第１中継カメラ１１が選択決定されてカメラ映像信号ＫＳ１１を放送出力している最中に、作業者によってカメラ映像信号ＫＳ１１のうち後の編集処理で使用を希望するためのハイライトシーンの開始点及び終了点がマークされたことを認識すると、当該開始点及び終了点が決定されたことを示すステータス信号を当該開始点及び終了点が決定されたタイミングでプラグインエディタ３へ制御信号Ｓ５として出力し、次のステップＳＰ２２へ移る。
【００６９】
ステップＳＰ３１においてプラグインエディタ３の制御部２４は、編集操作卓５からの制御信号Ｓ５を受け取ると、当該制御信号Ｓ５を受け取ったタイミングがカメラ映像信号ＫＳ１１におけるハイライトシーンの開始点及び終了点であると認識し、当該認識した開始点及び終了点のタイミングを示す第１ＶＴＲ１４のタイムコードを開始時刻ｔ１及び終了時刻ｔ２として記憶し、次のステップＳＰ３２へ移る。
【００７０】
因みにプラグインエディタ３の制御部２４は、スイッチャ操作卓４からの制御信号Ｓ４に従って、次に例えば第２中継カメラ１２が選択決定されて切り換えられるまでは第１中継カメラ１１からのカメラ映像信号ＫＳ１１を入力選択回路２１で選択した後に放送出力すると共に、当該カメラ映像信号ＫＳ１１を第１ＶＴＲ１４でビデオテープに記録している。
【００７１】
なおプラグインエディタ３の制御部２４は、開始時刻ｔ１を記憶する際、実際には例えば１秒前のタイミングを示すタイムコードを開始時刻ｔ１として記憶することにより、作業者が編集操作卓５で実際に選択決定したカメラ映像信号ＫＳ１１のハイライトシーンが編集処理対象として用いる第１ＶＴＲ１４の再生映像信号ＶＳ１４に確実に含まれるようになされている。なおプラグインエディタ３の制御部２４は、以降の処理においても開始時刻を記憶する際には同様とする。
【００７２】
ステップＳＰ２においてスイッチャ操作卓４は、作業者によって第１中継カメラ１１によるカメラ映像信号ＫＳ１１を放送出力用に供している最中に、第２中継カメラ１２を次に選択決定するためのスイッチャ操作が行われたことを認識すると、当該第２中継カメラ１２によるカメラ映像信号ＫＳ１２を放送出力用に切り換えるための制御信号Ｓ４をプラグインエディタ３へ出力し、次のステップＳＰ３へ移る。
【００７３】
このときステップＳＰ２２において編集操作卓５は、スイッチャ操作卓４で第２中継カメラ１２が選択決定されてカメラ映像信号ＫＳ１２を放送している最中に、作業者によってカメラ映像信号ＫＳ１２のうち後の編集処理で使用を希望するためのハイライトシーンの開始点及び終了点がマークされたことを認識すると、当該開始点及び終了点が決定されたことを示すステータス信号を制御信号Ｓ５として当該開始点及び終了点が決定されたタイミングでプラグインエディタ３へ出力し、次のステップＳＰ２２へ移る。
【００７４】
ステップＳＰ３２においてプラグインエディタ３の制御部２４は、編集操作卓５からの制御信号Ｓ５を受け取ると、当該制御信号Ｓ５を受け取ったタイミングがカメラ映像信号ＫＳ１２におけるハイライトシーンの開始点及び終了点であると認識し、当該認識した開始点及び終了点のタイミングを示す第２ＶＴＲ１５のタイムコードを開始時刻ｔ３及び終了時刻ｔ４として記憶し、次のステップＳＰ３３へ移る。
【００７５】
因みにプラグインエディタ３の制御部２４は、ステップＳＰ３１の場合と同様に、第２中継カメラ１２からのカメラ映像信号ＫＳ１２を入力選択回路２１で選択した後に放送出力すると共に、当該カメラ映像信号ＫＳ１２を第２ＶＴＲ１５でビデオテープに記録している。
【００７６】
ステップＳＰ３においてスイッチャ操作卓４は、作業者によって第２中継カメラ１１によるカメラ映像信号ＫＳ１２を放送出力用に供している最中に、第２中継カメラ１２から第３中継カメラ１３へ特殊効果を与えながら切り換えるためのスイッチャ操作が行われたことを認識すると、第２中継カメラ１２から第３中継カメラ１３へ特殊効果を与えながら切り換えるための制御信号Ｓ４をプラグインエディタ３へ出力し、次のステップＳＰ４へ移って処理を終了する。
【００７７】
このときステップＳＰ２３において編集操作卓５は、スイッチャ操作卓４で第３中継カメラ１３が選択決定されてカメラ映像信号ＫＳ１３を放送している最中に、作業者によってカメラ映像信号ＫＳ１３のうち後の編集処理で使用を希望するためのハイライトシーンの開始点及び終了点がマークされたことを認識すると、当該開始点及び終了点が決定されたことを示すステータス信号を制御信号Ｓ５として当該開始点及び終了点が決定されたタイミングでプラグインエディタ３へ出力し、次のステップＳＰ２４へ移る。
【００７８】
ステップＳＰ３３においてプラグインエディタ３の制御部２４は、編集操作卓５からの制御信号Ｓ５を受け取ると、当該制御信号Ｓ５を受け取ったタイミングがカメラ映像信号ＫＳ１３におけるハイライトシーンの開始点及び終了点であると認識し、当該認識した開始点及び終了点のタイミングを示す第３ＶＴＲ１６のタイムコードを開始時刻ｔ５及び終了時刻ｔ６として記憶し、次のステップＳＰ３４へ移る。
【００７９】
ステップＳＰ２４において編集操作卓５は、第３中継カメラ１３のカメラ映像信号ＫＳ１３を放送している最中に、作業者によって例えば第１中継カメラ１１を指定して当該第１中継カメラ１１のカメラ映像信号ＫＳ１１のうち使用を希望するハイライトシーンの開始点及び終了点がマークされたことを認識すると、当該開始点及び終了点が決定されたことを示すステータス信号を制御信号Ｓ５として当該開始点及び終了点が決定されたタイミングでプラグインエディタ３へ出力し、次のステップＳＰ２５へ移って処理を終了する。
【００８０】
ステップＳＰ３４においてプラグインエディタ３の制御部２４は、編集操作卓５からの制御信号Ｓ５を受け取ると、当該制御信号Ｓ５を受け取ったタイミングが第１中継カメラ１１のカメラ映像信号ＫＳ１１におけるハイライトシーンの開始点及び終了点であると認識し、当該認識した開始点及び終了点のタイミングを示す第１ＶＴＲ１４のタイムコードを開始時刻ｔ７及び終了時刻ｔ８として記憶し、次のステップＳＰ３５へ移る。
【００８１】
ステップＳＰ３５においてプラグインエディタ３の制御部２４は、編集操作卓５における作業者の編集操作が終了したので、ステップＳＰ３１〜ステップＳＰ３４にかけて記憶した第１ＶＴＲ１４の開始時刻ｔ１、終了時刻ｔ２、第２ＶＴＲ１５の開始時刻ｔ３、終了時刻ｔ４、第３ＶＴＲ１６の開始時刻ｔ５、終了時刻Ｔ６、第１ＶＴＲ１４の開始時刻ｔ７、終了時刻ｔ８及び特殊効果の種類（Ｃｕｔ）からなるダイジェスト版編集リストＬ２を作成した後、これをデータベース２６に格納し、次のステップＳＰ３６へ移って処理を終了する。
【００８２】
このようにプラグインエディタ３の制御部２４は、編集操作卓５における作業者の編集操作に応じて決定された第１中継カメラ１１〜第３中継カメラ１３のハイライトシーンに関する開始点（ｔ１、ｔ３、ｔ５、ｔ７）及び終了点（ｔ２、ｔ４、ｔ６、ｔ８）をタイムコードとしてそれぞれ記憶しておき、これを用いてハイライトシーンだけのダイジェスト版編集リストＬ２を作成し得るようになされている。
【００８３】
図７に示すように、このようにして作成されたダイジェスト版編集リストＬ２には、記録用ＶＴＲ６でハイライトシーン編集処理後のダイジェスト版編集映像をビデオテープに記録したときの新たな時刻（Ｔ１、Ｔ２、Ｔ３、Ｔ４）を表す「時間」、カメラ選択対象となる第１中継カメラ１１〜第３中継カメラ１３を表す「リール」、特殊効果の種類（Ｃｕｔ）を表す「効果」、第１中継カメラ１１〜第４中継カメラのカメラ映像信号ＫＳ１１〜ＫＳ１３を第１ＶＴＲ１４〜第３ＶＴＲ１６によって再生した再生映像信号ＶＳ１４〜ＶＳ１６として使用するときの時刻を表す「開始時刻（ｔ１、ｔ３、ｔ５、ｔ７）」及び「終了時刻（ｔ２、ｔ４、ｔ６、ｔ８）」が示されている。
【００８４】
従ってプラグインエディタ３の制御部２４は、生中継放送終了後に、データベース２６に格納したダイジェスト版編集リストＬ２を読み出し、当該ダイジェスト版編集リストＬ２に従ってスイッチャ制御回路２３及びＶＴＲ制御回路２５を制御することにより、ダイジェスト版編集リストＬ２に従ってダイジェスト版編集映像を容易に生成し得るようになされている。
【００８５】
実際上、図８に示すようにプラグインエディタ３の制御部２４は、開始時刻ｔ１〜終了時刻ｔ２までは第１中継カメラ１１のカメラ映像信号ＫＳ１１に相当する第１ＶＴＲ１４からの再生映像信号ＶＳ１４を入力選択回路２１で選択して記録用ＶＴＲ６へ出力する。
【００８６】
続いてプラグインエディタ３の制御部２４は、開始時刻ｔ３〜終了時刻ｔ４までは第２中継カメラ１２のカメラ映像信号ＫＳ１２に相当する第２ＶＴＲ１５からの再生映像信号ＶＳ１５を入力選択回路２１で選択して記録用ＶＴＲ６へ出力する。
【００８７】
さらに続いてプラグインエディタ３の制御部２４は、開始時刻ｔ５〜終了時刻ｔ６までは第３中継カメラ１３のカメラ映像信号ＫＳ１３に相当する第３ＶＴＲ１６からの再生映像信号ＶＳ１６を入力選択回路２１で選択して記録用ＶＴＲ６へ出力する。
【００８８】
最後にプラグインエディタ３の制御部２４は、開始時刻ｔ７〜終了時刻ｔ８までは第１中継カメラ１１のカメラ映像信号ＫＳ１１に相当する第１ＶＴＲ１４からの再生映像信号ＶＳ１４を入力選択回路２１で選択して記録用ＶＴＲ６へ出力する。
【００８９】
記録用ＶＴＲ６は、プラグインエディタ３からダイジェスト版編集リストＬ２に従って順次送られてくる再生映像信号ＶＳ１４〜ＶＳ１６ビデオテープに記録することにより、図９に示すように、ダイジェスト版編集リストＬ２の内容に応じたダイジェスト版編集映像を記録したダイジェスト版編集テープ４１を生成し得るようになされている。
【００９０】
この結果ダイジェスト版編集テープ４１には、第１中継カメラ１１に対応した再生映像信号ＶＳ１４が記録実時間Ｔ１〜Ｔ２まで記録され、再生映像信号ＶＳ１５が当該記録実時間Ｔ２〜記録実時間Ｔ３まで記録され、再生映像信号ＶＳ１６が記録実時間Ｔ３〜記録実時間Ｔ４まで記録され、最後に再度第１中継カメラ１１に対応した再生映像信号ＶＳ１４が記録実時間Ｔ４〜Ｔ５まで記録されることになる。
【００９１】
なおダイジェスト版編集リストＬ２は、「Ｃｕｔ」で映像信号を切り換えるべく作成されているが、実際に記録を行う際には前に説明されている特殊効果を付加して映像を切り換えることが可能である。
【００９２】
（４）動作及び効果
以上の構成において、ビデオ編集装置１におけるプラグインエディタ３の制御部２４は、スイッチャ操作卓４のスイッチャ操作によって第１中継カメラ１１〜第３中継カメラ１３のいずれかに切り換えられたときのカメラ映像信号ＫＳ１１〜ＫＳ１３を順次生中継放送出力している最中に、当該スイッチャ操作に応じて第１中継カメラ１１〜第３中継カメラ１３のいずれかを選択決定したときの開始時刻（ｔ１、ｔ３、ｔ５）及び終了時刻（ｔ２、ｔ４）や特殊効果の種類（Ｃｕｔ、Ｍｉｘ）及び当該種類に関する各種設定情報（ｎ秒）を操作履歴として一時的に記憶する。
【００９３】
その後プラグインエディタ３の制御部２４は、この操作履歴を用いて編集リストＬ１を生成し、データベース２６に記憶する。これによりプラグインエディタ３の制御部２４は、第１中継カメラ１１〜第３中継カメラ１３によって生中継放送を行っている最中に、スイッチャ操作の操作履歴に基づいて編集リストＬ１を生成することができる。
【００９４】
従ってプラグインエディタ３の制御部２４は、生中継放送の直後、編集リストＬ１を改めて作成する手間を作業者に強いることなく、生中継放送と同時に作成した編集リストＬ１に基づいて生中継放送直後から編集映像データを生成することができる。
【００９５】
またプラグインエディタ３の制御部２４は、スイッチャ操作卓４のスイッチャ操作によって第１中継カメラ１１〜第３中継カメラ１３のいずれかに切り換えられたときのカメラ映像信号ＫＳ１１〜ＫＳ１３を順次生中継放送出力している最中に、編集操作卓５によってカメラ映像信号ＫＳ１１〜ＫＳ１３の中から作業者が後の編集処理で使用を希望するためのハイライトシーンの開始点及び終了点がマークされたことを認識すると、その開始点及び終了点のタイミングを示す第１ＶＴＲ１４〜第３ＶＴＲ１６の開始時刻（ｔ１、ｔ３、ｔ５、ｔ７）及び終了時刻（ｔ２、ｔ４、ｔ６、ｔ８）や特殊効果の種類（Ｃｕｔ）を操作履歴として一時的に記憶する。
【００９６】
その後プラグインエディタ３の制御部２４は、この操作履歴を用いてダイジェスト版編集リストＬ２を生成し、データベース２６に記憶する。これによりプラグインエディタ３の制御部２４は、第１中継カメラ１１〜第３中継カメラ１３によって生中継放送を行っている最中に、編集操作卓５でハイライトシーンだけを集めるために編集操作されたときの操作履歴に基づいてダイジェスト版編集リストＬ２を生成することができる。
【００９７】
従ってプラグインエディタ３の制御部２４は、生中継放送直後、ダイジェスト版編集リストＬ２を改めて作成する手間を作業者に強いることなく、生中継放送と同時に作成したダイジェスト版編集リストＬ２に基づいて生中継放送直後からハイライトシーンだけを集めたダイジェスト版編集映像データを生成することができる。
【００９８】
以上の構成によれば、ビデオ編集装置１におけるプラグインエディタ３の制御部２４は第１中継カメラ１１〜第３中継カメラ１３を介して生中継放送を行っているとほぼ同時に、スイッチャ操作卓４のスイッチャ操作及び編集操作卓５の編集操作に応じた操作履歴を一時的に記憶しておき、これを基に編集リストＬ１及びダイジェスト版編集リストＬ２を作成することができる。
【００９９】
これにより作業者は、従来のように第１中継カメラ１１〜第３中継カメラ１３による生中継放送の後で、第１ＶＴＲ１４〜第３ＶＴＲ１６を再生することにより得た再生映像信号ＶＳ１４〜ＶＳ１６を見ながら、スイッチャ操作や編集操作を行うといった煩雑かつ長時間を要する手間をかけることなく、編集リストＬ１、ダイジェスト版編集リストＬ２を入手することができる。
【０１００】
（５）他の実施の形態
なお上述の実施の形態においては、映像素材編集装置としてのプラグインエディタ３に、スイッチャ機能に加えて編集処理機能を併せ持たせるようにした場合について述べたが、本発明はこれに限らず、スイッチャ機能と編集処理機能とが分離した構成であっても良い。
【０１０１】
例えば図１との対応部分に同一符号を付して示す図１０に示すように、ビデオ編集装置５０は、プラグインエディタ３（図１）に代わってスイッチャ機能だけを有するスイッチャ５１と、編集処理機能だけを有する編集機５２とがそれぞれ別体に設けられており、エディタインタフェース５３及びスイッチャインタフェース５４を介してスイッチャ５１の制御部２４と編集機５２の制御部５６とが互いに制御信号等を送受信するようになされている。
【０１０２】
この場合も、ビデオ編集装置５０は、スイッチャ５１及び編集機５２によって、ビデオ編集装置１のプラグインエディタ３と同様の機能を有し、当該プラグインエディタ３と同様に編集リストＬ１、ダイジェスト版編集リストＬ２を作成し得るようになされている。
【０１０３】
また上述の実施の形態においては、第１中継カメラ１１〜第３中継カメラ１３からのカメラ映像信号ＫＳ１１〜ＫＳ１３を生中継放送中に編集リストＬ１、ダイジェスト編集リストＬ２を作成するようにした場合について述べたが、本発明はこれに限らず、スタジオ等での収録中に編集リストＬ１、ダイジェスト編集リストＬ２を作成するようにしても良い。
【０１０４】
さらに上述の実施の形態においては、映像素材の記録媒体としてビデオテープを用いるようにした場合について述べたが、本発明はこれに限らず、ディスク状記録媒体（例えばＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）、ハードディスク等）を記録媒体として用いるようにしても良い。この場合、ノンリニア編集を実行することができる。
【０１０５】
さらに上述の実施の形態においては、特殊効果発生回路２２によって施す特殊効果の種類としては、「Ｃｕｔ」、「Ｍｉｘ」、「Ｗｉｐｅ」、「Ｋｅｙ」等を一例として挙げたが、本発明はこれに限らず、拡大、縮小、ディゾルブ等その他種々の特殊効果を施すようにしても良い。
【０１０６】
さらに上述の実施の形態においては、映像素材編集手段としての入力選択回路２１、スイッチャ制御回路２３及び制御部２４と、編集リスト作成手段としての制御部２４又は制御部５６とによって映像素材編集装置としてのプラグインエディタ３を構成するようにした場合について述べたが、本発明はこれに限らず、他の種々の回路構成によって映像素材編集装置としてのプラグインエディタ３を構成するようにしても良い。
【０１０７】
【発明の効果】
上述のように本発明によれば、スイッチャ機能を有する映像素材編集手段を介して複数のソースから入力される複数の映像素材を任意のタイミングで切り換え、当該複数の映像素材を切り換える切換操作に基づいて編集リストを作成することにより、複数の映像素材に対する切り換え操作に応じた編集リストを自動的に作成することができるので、作業者に多大な時間と煩雑な手間を強いることなく、短時間かつ容易に編集リストを作成することができるので、作業者に多大な時間と煩雑な手間を強いることなく、短時間かつ容易に編集リストを作成し得る映像素材編集装置及び映像素材編集方法を実現することができる。
【０１０８】
また本発明によれば、スイッチャ機能を用いて複数の映像素材を切り換える切換操作と同時に編集リストを作成することにより、映像素材の切換操作とほぼ同時に編集リストを提供することができるので、その直後から当該編集リストに応じた編集処理を直ちに実行することができる。
【０１０９】
さらに本発明によれば、切換操作に加えて、映像素材を切り換える際に指定した特殊効果の種類及び当該種類に関する各種設定情報に基づいて編集リストを作成することにより、映像素材に特殊効果を施しながら当該映像素材を切り換えて編集映像データを生成することについても当該編集リストに基づいて短時間かつ容易に実行することができる。
【０１１０】
さらに本発明においては、複数の映像素材におけるハイライトシーンだけを繋ぎ合わせる編集処理を上記切換操作として実行したとき、編集処理に応じたダイジェスト版編集リストを作成することにより、作業者に多大な時間と煩雑な手間を強いることなく、短時間かつ容易にダイジェスト版編集リストを作成することができる。
【図面の簡単な説明】
【図１】本発明のビデオ編集装置の構成を示す略線的ブロック図である。
【図２】編集リスト作成処理手順を示すフローチャートである。
【図３】編集リストを示す略線図である。
【図４】編集リストに基づく編集映像の生成の説明に供する略線図である。
【図５】ビデオテープに記録された編集映像の説明に供する略線図である。
【図６】ダイジェスト版編集リスト作成処理手順を示すフローチャートである。
【図７】ダイジェスト版編集リストを示す略線図である。
【図８】ダイジェスト版編集リストに基づくダイジェスト版編集映像の生成の説明に供する略線図である。
【図９】ビデオテープに記録されたダイジェスト版編集映像の説明に供する略線図である。
【図１０】他の実施の形態におけるビデオ編集装置の構成を示す略線的ブロック図である。
【符号の説明】
１……ビデオ編集装置、２……映像素材入力系、３……プラグインエディタ、４……スイッチャ操作卓、５……編集操作卓、６……記録用ＶＴＲ、１１……第１中継カメラ、１２……第２中継カメラ、１３……第３中継カメラ、１４……第１ＶＴＲ、１５……第２ＶＴＲ、１６……第３ＶＴＲ、１７……第４ＶＴＲ、２１……入力選択回路、２２……特殊効果発生回路、２３……スイッチャ制御回路２４……制御部、２５……ＶＴＲ制御回路、２６……データベース。
【図１】
2004274627.tif 000003
【図２】
2004274627.tif 000004
【図３】
2004274627.tif 000005
【図４】
2004274627.tif 000006
【図５】
2004274627.tif 000007
【図６】
2004274627.tif 000008
【図７】
2004274627.tif 000009
【図８】
2004274627.tif 000010
【図９】
2004274627.tif 000011
【図１０】
2004274627.tif 000012